(57)【要約】【課題】特定者以外に対する撮影を制限し、さらに撮影後に別の操作をしなくとも個人情報を埋め込んだ映像データを効率的に作成することを目的とする。【解決手段】映像撮影装置２００内部に個人情報登録手段２０１、個人情報記録手段２０２を設けることで個人情報を映像撮影装置内に記録でき、個人情報入力手段２０３、個人情報識別手段２０５を設けることで認証を可能にする。また、付加データ読み出し手段２０７を設けることにより、映像データに個人情報を埋め込むことが可能になる。【選択図】  図２
2004312500.tif 000002
【特許請求の範囲】
【請求項１】
撮影者の個人情報を登録する個人情報登録手段と、前記個人情報登録手段で登録された個人情報を記録する個人情報記録手段と、撮影前に認証するための個人情報を入力する個人情報入力手段と、前記個人情報入力手段で入力された個人情報を読み出す個人情報読み出し手段と、映像データを入力する映像入力手段と、前記個人情報読み出し手段から読み出された個人情報が前記個人情報登録手段で登録されたものかどうかを識別し、登録されていない場合は、前記映像入力手段で映像入力できないように設定を行う個人情報識別手段と、前記映像入力手段から入力された映像データを記録する映像データ記録手段を備えたことを特徴とする映像撮影装置。
【請求項２】
撮影者の個人情報を登録する個人情報登録手段と、前記個人情報登録手段で登録された個人情報を記録する個人情報記録手段と、撮影前に認証するための個人情報を入力する個人情報入力手段と、前記個人情報入力手段で入力された個人情報を読み出す個人情報読み出し手段と、映像データを入力する映像入力手段と、前記個人情報読み出し手段から読み出された個人情報が前記個人情報登録手段で登録されたものかどうかを識別し、登録されていない場合は、前記映像入力手段で映像入力できないように設定を行う個人情報識別手段と、前記個人情報記録手段から付加データを読み出す付加データ読み出し手段と、前記付加データ読み出し手段で読み出された付加データを前記映像入力手段で入力された映像データに埋め込む付加データ埋め込み手段と、前記付加データ埋め込み手段によって付加データが埋め込まれた映像データを記録する映像データ記録手段を備えたことを特徴とする映像撮影装置。
【請求項３】
前記個人情報登録手段において、前記個人情報読み出し手段がビューファインダー部の虹彩センサーであり、個人情報の認証用データとして虹彩を登録し、前記個人情報読み出し手段で撮影者の虹彩を読み出し、前記個人情報識別手段は虹彩で識別することを特徴とする、請求項１、請求項２記載の映像撮影装置。
【請求項４】
前記個人情報登録手段において、前記個人情報読み出し手段がハンドル部の指紋センサーであり、個人情報の認証用データとして指紋を登録し、前記個人情報読み出し手段で撮影者の指紋を読み出し、前記個人情報識別手段は指紋で識別することを特徴とする、請求項１、請求項２記載の映像撮影装置。
【請求項５】
撮影の履歴を記録媒体に書き込む撮影履歴書き込み手段を備えたことを特徴とする請求項１、請求項２、請求項３、請求項４記載の映像撮影装置。
【発明の詳細な説明】
【０００１】
【発明の属する技術分野】
本発明は、個人認証機能をもった映像撮影装置に関するものである。
【０００２】
【従来の技術】
デジタルカメラでは、あらかじめ登録しておいた個人情報を、認証することなく画像データに埋め込んでいた。また、カメラレコーダにおいては、撮影後別操作をすることで、個人情報を映像データに埋め込んでいた。以下に従来技術であるデジタルカメラ装置の個人情報埋め込み技術について説明する。従来技術のブロック図を図４に示す。
【０００３】
図４はデジタルカメラ装置を示し、同図において４００はデジタルカメラ装置全体、４０１はＣＣＤ入力装置、４０２は変換処理手段、４０３は個人情報記録装置、４０４は識別情報生成手段、４０５は識別情報付加手段、４０６は画像格納手段、４０７は画像記憶装置を示す。以上のように構成されたデジタルカメラ装置において、以下にその動作について説明する。
【０００４】
まず、ＣＣＤ入力装置４０１に入った映像信号を変換処理手段４０２が画像データに変換する。また個人情報記録装置４０３から個人情報を読み出し、識別情報生成手段４０４が個人情報内から画像データに付加する撮影者の識別情報を生成する。識別情報付加手段４０５は前記識別情報生成手段４０４で生成された撮影者の識別情報を画像データに付加し、画像格納手段４０６が画像記憶装置４０７に撮影者の識別情報が埋め込まれた画像データを格納する。
【０００５】
【特許文献１】
特開２００２−３０５７１１号公報
【０００６】
【発明が解決しようとする課題】
従来の技術では、誰でも撮影装置を用い撮影でき、特定者以外に対し撮影できないようにする仕組みがなかった。また、撮影時に検索用の個人情報を映像データに埋め込むことができず、撮影後別操作を必要としていた。
【０００７】
本発明では、撮影前に映像撮影装置内に個人情報登録手段で個人情報を登録し、個人情報記録手段に格納する。そして、撮影時に個人情報記録媒体内の個人情報または虹彩など個人が識別できる情報を個人情報入力手段に入力し、入力された個人情報を個人情報読み出し手段で読み出し、個人情報識別手段で撮影可能かどうかを判断することができる。このようにして特定者以外に対する撮影を制限し、撮影装置本体のセキュリティを高めることができる。
【０００８】
また、撮影可能な場合は、撮影時に個人情報記録媒体内もしくは個人情報記録手段に格納された個人情報を個人情報埋込手段によって撮影された映像データに埋め込むことができるため、撮影後に別の操作をしなくとも検索用のデータとなる個人情報を埋め込んだ映像データを効率的に作成することができる。
【０００９】
【課題を解決するための手段】
本発明の映像撮影装置は、撮影者の個人情報を登録する個人情報登録手段と、個人情報を記録する個人情報記録手段と、撮影前に認証するための個人情報を入力する個人情報入力手段と、個人情報入力手段で入力された個人情報を読み出す個人情報読み出し手段と、映像を入力する映像入力手段と、個人情報読み出し手段から読み出された個人情報が個人情報登録手段で登録されたものかどうかを識別し、登録されていない場合は、映像入力手段で映像入力できないように設定を行う個人情報識別手段と、個人情報記録手段から付加データを読み出す付加データ読み出し手段と、付加データ読み出し手段から読み出した付加データを映像データに埋め込む付加データ埋め込み手段と、付加データ埋め込み手段によって付加データが埋め込まれた映像データを記録する映像データ記録手段を備えたことを特徴ことによって、特定者以外に対する撮影を制限し、さらに撮影後に別の操作をしなくとも個人情報を埋め込んだ映像データを効率的に作成することができる。
【００１０】
【発明の実施の形態】
（実施の形態１）
本発明の第１実施例のブロック図を図１に示す。
【００１１】
図１は映像撮影装置全体を示し、同図において１００は映像撮影装置全体、１０１は個人情報登録手段、１０２は個人情報記録手段、１０３は個人情報入力手段、１０４は個人情報読み出し手段、１０５は個人情報識別手段、１０６は映像入力手段、１０７は映像データ記録手段を示す。この実施例では、個人情報の認証用データに個人ＩＤとパスワードを用いることとする。ここで、認証用データとは、個人を特定するために用いるデータであり、個人ＩＤとは人の名前や番号など識別用の文字列である。
【００１２】
最初に個人情報の認証用データを映像撮影装置に登録する。個人情報登録時は、個人ＩＤとパスワードをパソコンのキーボードや、メモリカードを用いて入力する。
【００１３】
パソコンで入力する場合は無線ＬＡＮで個人情報登録手段１０１にアクセスし、パソコンのキーボードを用いて、個人情報の認証用データを入力し登録する。メモリカードで入力する場合は、あらかじめ個人ＩＤとパスワードを入れたメモリカードを個人情報登録手段１０１に差し込み個人情報の認証用データを登録する。個人情報登録手段１０１によって登録された個人情報の認証用データは個人情報記録手段１０２に記録される。個人情報記録手段１０２には登録された人数分の個人情報の認証用データが格納されている。
【００１４】
つぎに、個人情報の認証を行なう。個人情報認証時には、個人情報入力手段１０３に個人情報の認証用データを入力する。入力方法としては、あらかじめ個人ＩＤとパスワードを入れておいたメモリカードを個人情報入力手段１０３に差し込む方法や、個人情報入力手段１０３がキーボード入力機能を有し、直接入力する方法がある。
【００１５】
個人情報入力後、個人情報読み出し手段１０４は個人情報入力手段１０３で入力された個人情報の認証用データを読み出し、個人情報識別手段１０５は読み出された個人情報の認証用データである個人ＩＤとパスワードを取得し、個人情報記録手段１０２に格納されている登録済みの個人情報の認証用データ内に同じ個人ＩＤとパスワードの組があるかどうかを識別する。
【００１６】
識別した結果、個人情報入力手段１０３で入力した個人情報の認証用データが個人情報記録手段１０２に格納されていなかったときは、映像入力手段１０６に対し映像入力ができないよう設定する。
【００１７】
個人情報記録手段１０２に格納されていたときは撮影を許可し、撮影を開始する。撮影開始すると、映像入力手段１０６から入力された映像データは映像データ記録手段１０７に記録される。
【００１８】
（実施の形態２）
本発明の第２実施例のブロック図を図２に示す。
【００１９】
図２は映像撮影装置全体を示し、同図において２００は映像撮影装置全体、２０１は個人情報登録手段、２０２は個人情報記録手段、２０３は個人情報入力手段、２０４は個人情報読み出し手段、２０５は個人情報識別手段、２０６は映像入力手段、２０７は付加データ読み出し手段、２０８は付加データ埋め込み手段、２０９は映像データ記録手段を示す。この実施例では、個人情報の認証用データに指紋データを用いることとする。ここで、認証用データとは、個人を特定するために用いるデータであり、付加データとは映像検索用に用いる撮影者、所属、コメントなどのデータである。
【００２０】
最初に個人情報の認証用データと付加データを映像撮影装置に登録する。個人情報登録時は、認証用データである指紋データと付加データの両方が入っている個人情報ファイルをメモリカードに入れ、個人情報登録手段２０１に個人情報ファイルが入っているメモリカードを差し込み個人情報ファイルを登録する。個人情報登録手段２０１によって登録された個人情報ファイルは個人情報記録手段２０２に記録される。個人情報記録手段２０２には登録された人数分の個人情報ファイルが格納されている。
【００２１】
つぎに、個人情報の認証を行なう。個人情報認証時には、個人情報入力手段２０３に認証用データである指紋データを入力する。入力方法としては、あらかじめ指紋データを入れてあるメモリカードを個人情報入力手段２０３に差し込む方法や、ハンドル部に指紋センサーを内蔵した個人情報入力手段２０３に指紋データを直接入力する方法がある。
【００２２】
個人情報入力後、個人情報読み出し手段２０４は個人情報入力手段２０３で入力された認証用データである指紋データを読み出し、個人情報識別手段２０５は個人情報読み出し手段２０４で読み出された指紋データが個人情報記録手段２０２に格納されている個人情報ファイル内にあるかどうかを識別する。
【００２３】
識別した結果、個人情報入力手段２０３で入力した認証用データである指紋データが個人情報記録手段２０２内の個人情報ファイル内に格納されていなかったときは、映像入力手段２０６に対し映像入力ができないよう設定する。
【００２４】
個人情報記録手段２０２内の個人情報ファイル内に格納されていたときは、付加データ読み出し手段２０７に個人情報入力手段２０３で入力した指紋データと同じ指紋データが入っている個人情報ファイルのファイル名を送り、撮影を開始する。
【００２５】
撮影開始すると、映像入力手段２０６から映像データが入力され、また付加データ読み出し手段２０７が個人情報識別手段２０５から送られた個人情報ファイルのファイル名をもとに個人情報記録手段２０２から個人情報ファイルを読み出し、個人情報ファイル内の付加データを取得する。
【００２６】
付加データ埋め込み手段２０８は映像入力手段２０６から入力された映像データに付加データ読み出し手段２０７が取得した付加データを埋め込む。記録される映像データがＡＶＩファイルやＭＸＦファイルの場合、ファイルのヘッダ部分に付加情報が埋め込まれる。付加情報が埋め込まれた映像データは映像データ記録手段２０９に記録される。
【００２７】
（実施の形態３）
本発明の第３実施例のブロック図を図３に示す。
【００２８】
図３は映像撮影装置全体を示し、同図において３００は映像撮影装置全体、３０１は個人情報登録手段、３０２は個人情報記録手段、３０３は個人情報入力手段、３０４は個人情報読み出し手段、３０５は個人情報識別手段、３０６は映像入力手段、３０７は付加データ読み出し手段、３０８は付加データ埋め込み手段、３０９は映像データ記録手段、３１０は撮影履歴書き込み手段を示す。この実施例では、個人情報の認証用データに虹彩データを用いることとする。ここで、認証用データとは、個人を特定するために用いるデータであり、付加データとは映像検索用に用いる撮影者、所属、コメントなどのデータである。
【００２９】
最初に個人情報の認証用データと付加データを映像撮影装置に登録する。個人情報登録時は、認証用データである虹彩データと付加データの両方が入っている個人情報ファイルをメモリカードに入れ、個人情報登録手段３０１に個人情報ファイルが入っているメモリカードを差し込み個人情報ファイルを登録する。個人情報登録手段３０１によって登録された個人情報ファイルは個人情報記録手段３０２に記録される。個人情報記録手段３０２には登録された人数分の個人情報ファイルが格納されている。
【００３０】
つぎに、個人情報の認証を行なう。個人情報認証時には、個人情報入力手段３０３に認証用データである虹彩データを入力する。入力方法としては、あらかじめ虹彩データを入れてあるメモリカードを個人情報入力手段３０３に差し込む方法や、ビューファインダー部に虹彩センサーを内蔵した個人情報入力手段３０３に虹彩データを直接入力する方法がある。
【００３１】
個人情報入力後、個人情報読み出し手段３０４は個人情報入力手段３０３で入力された認証用データである虹彩データを読み出し、個人情報識別手段３０５は個人情報読み出し手段３０４で読み出された虹彩データが個人情報記録手段３０２に格納されている個人情報ファイル内にあるかどうかを識別する。
【００３２】
識別した結果、個人情報入力手段３０３で入力した認証用データである虹彩データが個人情報記録手段３０２内の個人情報ファイル内に格納されていなかったときは、映像入力手段３０６に対し映像入力ができないよう設定する。個人情報記録手段３０２内の個人情報ファイル内に格納されていたときは、付加データ読み出し手段３０７に個人情報入力手段３０３で入力した虹彩データと同じ虹彩データが入っている個人情報ファイルのファイル名を送り、撮影を開始する。
【００３３】
撮影開始すると、映像入力手段３０６から映像データが入力され、また付加データ読み出し手段３０７が個人情報識別手段３０５から送られた個人情報ファイルのファイル名をもとに個人情報記録手段３０２から個人情報ファイルを読み出し、個人情報ファイル内の付加データを取得する。
【００３４】
付加データ埋め込み手段３０８は映像入力手段３０６から入力された映像データに付加データ読み出し手段３０７が取得した付加データを埋め込む。記録される映像データがＡＶＩファイルやＭＸＦファイルの場合、ファイルのヘッダ部分に付加情報が埋め込まれる。付加情報が埋め込まれた映像データは映像データ記録手段３０９に記録される。
【００３５】
撮影終了後、撮影履歴書き込み手段３１０は、撮影終了日時を計測し、また映像データ記録手段３０９からファイル名を、付加データ読み出し手段３０７から個人情報の付加データを取得し、記録媒体にファイル名、撮影者、所属、撮影日時を書き込む。
【００３６】
なお、認証用データとして第１実施例ではパスワード、第２実施例では指紋データ、第３実施例では虹彩データを例としてあげているが、他の認証用のデータを用いても同様の機能を得ることができる。
【００３７】
【発明の効果】
以上のように本発明は、撮影現場での個人認証が容易に行うことができ、認証を行うことで特定者以外に対する撮影を制限し、撮影装置本体のセキュリティを高めることができる。
【００３８】
また、撮影時に個人情報を埋め込むことため、撮影後に別の操作をしなくとも検索用のデータとなる個人情報を埋め込んだ映像データを効率的に作成することができる。
【００３９】
なお、実施例における個人情報識別手段を無効にすることにより、個人情報記録手段または個人情報読み出し手段から読み出した個人情報を認証なしに映像データに埋め込むことも可能となる。
【図面の簡単な説明】
【図１】本発明の第１実施例のブロック図
【図２】本発明の第２実施例のブロック図
【図３】本発明の第３実施例のブロック図
【図４】従来例のブロック図
【符号の説明】
１００  映像撮影装置
１０１  個人情報登録手段
１０２  個人情報記録手段
１０３  個人情報入力手段
１０４  個人情報読み出し手段
１０５  個人情報識別手段
１０６  映像入力手段
１０７  映像データ記録手段
２００  映像撮影装置
２０１  個人情報登録手段
２０２  個人情報記録手段
２０３  個人情報入力手段
２０４  個人情報読み出し手段
２０５  個人情報識別手段
２０６  映像入力手段
２０７  付加データ読み出し手段
２０８  付加データ埋め込み手段
２０９  映像データ記録手段
３００  映像撮影装置
３０１  個人情報登録手段
３０２  個人情報記録手段
３０３  個人情報入力手段
３０４  個人情報読み出し手段
３０５  個人情報識別手段
３０６  映像入力手段
３０７  付加データ読み出し手段
３０８  付加データ埋め込み手段
３０９  映像データ記録手段
３１０  撮影履歴書き込み手段
４００  デジタルカメラ装置
４０１  ＣＣＤ入力装置
４０２  変換処理手段
４０３  個人情報記録装置
４０４  識別情報生成手段
４０５  識別情報付加手段
４０６  画像格納手段
４０７  画像記憶装置
【図１】
2004312500.tif 000003
【図２】
2004312500.tif 000004
【図３】
2004312500.tif 000005
【図４】
2004312500.tif 000006